(57)【要約】【課題】  扉への取り付けが容易であると共に、取付強度が従来と同等以上とされた扉錠の提供。【解決手段】  扉３の戸先側端部に内蔵される錠ケース５と、錠ケース５に設けられ、錠ケース５の戸先側端面から出没可能なデッドボルト２１と、扉３の室外面に設けられ、キーの回転操作によりデッドボルト２１を進退させるシリンダー装置４１と、扉３の室内面に設けられ、ツマミ７９の回転操作によりデッドボルト２１を進退させるサムターン装置６５とを備える。シリンダー装置４１には、錠ケース５の切欠き８９，９１にはめ込まれるガイドピン５３，５３が設けられている。各ガイドピン５３は錠ケース５を貫通してはめ込まれ、錠ケース５から突出した部分がサムターン装置６５のピン穴７５にはめ込まれる。シリンダー装置４１およびサムターン装置６５には、扉の幅方向に沿って係止ピン９３，９９がはめ込まれる。【選択図】      図２
2007332672.tif 000002
【特許請求の範囲】
【請求項１】
扉に設けられた錠ケースへの嵌合部を有すると共に、
扉の幅方向に沿って差し込まれる係止ピンがはめ込まれる穴が形成されたシリンダー装置を備える
ことを特徴とする扉錠。
【請求項２】
前記シリンダー装置と対向して取り付けられ、前記嵌合部としてのガイドピンがはめ込まれる穴が設けられると共に、
扉の幅方向に沿って差し込まれる第二の係止ピンがはめ込まれる穴が形成されたサムターン装置を備える
ことを特徴とする請求項１に記載の扉錠。
【請求項３】
扉の室外側に取り付けられるシリンダー装置と、このシリンダー装置と対向して扉の室内側に取り付けられるサムターン装置とを備える扉錠であって、
前記シリンダー錠または前記サムターン装置の一方には、扉に設けられた錠ケースにはめ込まれるガイドピンが設けられると共に、他方には、前記ガイドピンがはめ込まれるピン穴が設けられており、
前記シリンダー錠および前記サムターン装置には、扉の幅方向に沿って差し込まれる係止ピンがはめ込まれる穴がそれぞれ形成されている
ことを特徴とする扉錠。
【請求項４】
前記ガイドピンは、錠ケースを貫通してはめ込まれており、錠ケースから突出した部分に前記ピン穴がはめ込まれる
ことを特徴とする請求項３に記載の扉錠。
【発明の詳細な説明】
【技術分野】
【０００１】
本発明は、住宅の玄関扉などに設けられる扉錠に関するものである。
【背景技術】
【０００２】
図１６に示されるように、玄関扉に設けられる扉錠１４１は、通常、扉１４３に内蔵される錠ケース１４５と、扉１４３の室外側に設けられるシリンダー装置１４７と、扉１４３の室内側に設けられるサムターン装置１４９とを備える。
このような扉錠１４１は、シリンダー装置１４７にキーを差し込み、回転操作することで錠ケース１４５に設けられたデッドボルト１５１を進退させることができると共に、サムターン装置１４９のツマミ１５２を回転操作することでもデッドボルト１５１を進退させることができる。そして、デッドボルト１５１が扉枠に設けられた受部材（ストライク）に突入することで扉１４３の施錠が行なわれる。
【０００３】
ところで、室外側のシリンダー装置１４７は、破壊されて不正解錠されないように、その取り付けの強度を高くする必要がある。
従来のシリンダー装置１４７は、その先端部に下方へ開口するコ字状の溝１５３が形成されている。そして、その先端部が錠ケース１４５の開口部１５５に差し込まれ、前記溝１５３が錠ケース１４５の開口部１５５の下端縁にはめ込まれる。次に、扉１４３の幅方向に沿ってピン１５７が差し込まれ、このピン１５７がシリンダー装置１４７の穴にも通されて、シリンダー装置１４７が錠ケース１４５に固定されて取り付けられる。
【０００４】
さらに、取付強度を高めるために、図１６および図１７に示すように、サムターン装置１４９からネジ１６１，１６１がシリンダー装置１４７にねじ込まれる。
【０００５】
このような構成により、シリンダー装置１４７に上下左右方向および前後方向に力が加えられた場合でも、シリンダー装置１４７は、その溝１５３が錠ケース１４５に引っ掛けられており、ピン１５７が差し込まれていると共に、サムターン装置１４９とネジ１６１で固定されていることでシリンダー装置１４７が錠ケース１４５から取り外されてしまうことがない。
【発明の開示】
【発明が解決しようとする課題】
【０００６】
しかしながら、従来のシリンダー装置１４７は、上述したように、その溝１５３を錠ケース１４５の開口部１５５の下端縁にはめ込む必要がある。
そのため、シリンダー装置１４７を取り付けるためには、シリンダー装置１４７の先端部を錠ケース１４５の開口部１５５に差し込んだ後、下方へ押し下げなければならず、位置合わせをする必要があり取り付けが面倒であった。
【０００７】
また、従来の扉錠１４１では、シリンダー装置１４７が上述した下方への移動を伴った取付方法であるが故に、錠ケース１４５の開口部１５５がシリンダー装置１４７の先端部より大きかった。そのため、シリンダー装置１４７が錠ケース１４５に取り付けられた状態では、開口部１５５とシリンダー装置１４７との間に隙間Ｓが生じ、取付強度が十分ではなかった。そのため、取付強度を高くするために、上述したようにサムターン装置１４９側からネジ１６１をねじ込む必要もあり、取付工程が多くなっていた。しかも、サムターン装置１４９側からシリンダー装置１４７側へねじ込んだネジ１６１を隠すためのカバー１５９を設ける場合もあり、部品点数が多くなることがあった。
【０００８】
本発明が解決しようとする課題は、簡単な構成で、部品点数も少なくすることができると共に、取り付けが容易であり、しかも従来の取付強度と同等またはそれ以上の強度を有するシリンダー装置を備えた扉錠を安価に提供することである。
【課題を解決するための手段】
【０００９】
本発明は、前記課題を解決するためになされたものであり、請求項１に記載の発明は、扉に設けられた錠ケースへの嵌合部を有すると共に、扉の幅方向に沿って差し込まれる係止ピンがはめ込まれる穴が形成されたシリンダー装置を備えることを特徴とする扉錠である。
【００１０】
請求項２に記載の発明は、前記シリンダー装置と対向して取り付けられ、前記嵌合部としてのガイドピンがはめ込まれる穴が設けられると共に、扉の幅方向に沿って差し込まれる第二の係止ピンがはめ込まれる穴が形成されたサムターン装置を備えることを特徴とする請求項１に記載の扉錠である。
【００１１】
請求項３に記載の発明は、扉の室外側に取り付けられるシリンダー装置と、このシリンダー装置と対向して扉の室内側に取り付けられるサムターン装置とを備える扉錠であって、前記シリンダー錠または前記サムターン装置の一方には、扉に設けられた錠ケースにはめ込まれるガイドピンが設けられると共に、他方には、前記ガイドピンがはめ込まれるピン穴が設けられており、前記シリンダー錠および前記サムターン装置には、扉の幅方向に沿って差し込まれる係止ピンがはめ込まれる穴がそれぞれ形成されていることを特徴とする扉錠である。
【００１２】
さらに、請求項４に記載の発明は、前記ガイドピンは、錠ケースを貫通してはめ込まれており、錠ケースから突出した部分に前記ピン穴がはめ込まれることを特徴とする請求項３に記載の扉錠である。
【発明の効果】
【００１３】
本発明によれば、簡単な構成で部品点数が少なく、取り付けが容易であり、しかも従来の取付強度と同等またはそれ以上の強度を有する扉錠を安価に提供することができる。
【発明を実施するための最良の形態】
【００１４】
以下、本発明の扉錠について、更に詳細に説明する。ここでは、本発明の扉錠が玄関扉に適用される場合について説明する。なお、以下の説明においては、扉が閉鎖した状態において室内外方向を前後方向とし、扉の幅方向を左右方向とする。
【００１５】
図１から図３は、本発明の扉錠の一実施例を示す図であり、図１は本実施例の扉錠の扉への取付状態を戸先側から見た図である。また、図２は、本実施例の扉錠の分解斜視図であり室外側から見た図である。図３は、本実施例の扉錠の分解斜視図であり室内側から見た図である。
また、図４は、扉に内蔵された錠ケースを室内側から見た図である。
さらに、図５は、図４の錠ケースの蓋を一部破断した図である。
【００１６】
本実施例の扉錠１は、扉３の戸先側端部に内蔵される錠ケース５と、この錠ケース５に設けられ、錠ケース５の戸先側端面から出没可能なデッドボルト２１と、扉３の室外面に設けられ、キーの回転操作によりデッドボルト２１を進退させるシリンダー装置４１と、扉３の室内面に設けられ、ツマミ７９の回転操作によりデッドボルト２１を進退させるサムターン装置６５とを主要部に備える。
【００１７】
錠ケース５は、矩形箱状とされる。本実施例の錠ケース５は、室内側へ開口するケース本体７と、その開口を閉じるようにケース本体７に重ね合わされてネジで固定される矩形板状の蓋９とを備える。
【００１８】
錠ケース５は、扉３の戸先側端部の上下方向中央部に取り付けられる。具体的には、図２〜図５に示すように、錠ケース５の左側端部には、矩形板状のフロント裏板１１が一体的に設けられている。そして、図５に示すように、錠ケース５が扉３に埋め込まれると共に、フロント裏板１１が扉３の戸先側端面に重ね合わされて、フロント裏板１１を介して扉３の戸先側端部に取付ネジ１３がねじ込まれることで錠ケース５が扉３に固定される。
【００１９】
また、後述する係止ピン９３，９９が取り付けられた後、フロント裏板１１に矩形板状のフロント板１５が重ね合わされる。そして、フロント板１５から錠ケース５へフロント取付ネジ１７がねじ込まれることで、フロント板１５がフロント裏板１１に固定される。
なお、フロント裏板１１およびフロント板１５には、デッドボルト２１が通される貫通穴１１ａ，１５ａがそれぞれ形成されている。
【００２０】
錠ケース５には、シリンダー装置４１に差し込まれるキーの回転操作またはサムターン装置６５のツマミ７９の回転操作により回転するカム１９と、このカム１９の回転動作により戸先側端面から出没可能とされるデッドボルト２１が収容されている。
【００２１】
カム１９は、略短円筒形とされ、その外周面の一部に径方向外側へ突出して矩形状の係止部２３が一体形成されている。
また、カム１９の内穴１９ａの径方向両端部には、内側へ突出して三角形状の突部２５，２５が形成されている。
【００２２】
このカム１９は、錠ケース５に固定されるカムガイド２７に回転可能に保持されている。
図６は、カムガイドを示す部品図であり、（ａ）は正面図、（ｂ）は右側面図である。
【００２３】
カムガイド２７は、板材を屈曲形成したコ字形材とされる。また、カムガイド２７の開放両端片２９，３３の左右両端部２９ａ，３３ａは、それぞれ前後方向外側へ直角に屈曲されている。
カムガイド２７は、そのコ字状溝を下方へ向けると共に、左右方向に沿うよう配置された状態で錠ケース５に固定される。
具体的には、カムガイド２７の開放両端片２９，３３の四隅には、円形の貫通穴２９ｂ，３３ｂがそれぞれ形成されている。そして、この貫通穴２９ｂ，３３ｂに、錠ケース５に前後方向に沿って立設された円筒状の柱２８，２８…がそれぞれはめ込まれ、カムガイド２７は位置決めされて錠ケース５に設けられる。また、本実施例では、錠ケース５の蓋９からネジ３０が各柱２８のネジ穴にねじ込まれてカムガイド２７が錠ケース５に固定される。
【００２４】
カムガイド２７の開放一端片２９の下端部には、円形の穴３１が貫通して形成されている。
また、カムガイド２７の開放他端片３３には、前記穴３１に対応した位置に、下方へ開口する切欠き３５が形成されている。具体的には、切欠き３５は、穴３１と同形状の丸穴の下端部が拡幅するように下方へ開口して形成されている。
【００２５】
カム１９は、カムガイド２７の開放両端片２９，３３間に挟み込まれ、カムガイド２７の前記穴３１にその一部が差し込まれて、カムガイド２７に回転可能に保持される。この際、カム１９の係止部２３は、カムガイド２７より下方へ突出している。
なお、カム１９は、その係止部２３がカムガイド２７の前記切欠き３５の左右壁面に当接することで、一定以上の回転が阻止される。つまり、カム１９は、その係止部２３が左右に一定範囲内で揺動可能にカムガイド２７に保持される。
【００２６】
デッドボルト２１は、矩形状とされ、左右方向に移動可能に錠ケース５内に設けられる。
デッドボルト２１の右端部には、上方へ開口する凹部３７が形成されており、この凹部３７にカム１９の係止部２３が係合されている。これにより、カム１９が回転することで、カム１９の係止部２３がデッドボルト２１を左右に移動させる。
デッドボルト２１は、左右方向に移動する際、錠ケース５の戸先側端面から出没可能とされており、扉３の戸先側端面から突出して扉枠の受部材（不図示）に突入することで扉３が施錠される。
なお、カム１９は、デッドボルト２１の突出状態と後退状態とにおいて、その安定方向に付勢するクリックバネにより付勢されてる。
【００２７】
図７および図８は、シリンダー装置を示す図であり、図７は斜視図、図８（ａ）は正面図、（ｂ）は右側面図、（ｃ）は平面図、（ｄ）は背面図である。
シリンダー装置４１は、シリンダー胴４３にシリンダー４５がはめ込まれて構成されている。
【００２８】
シリンダー胴４３は、略段付き円柱形状とされ、その先端側小径部４７には、先端側へ突出して取付部４９が形成されている。
取付部４９は、円の左右両端部が上下方向（直径方向）に沿う直線により前後方向に切り欠かれた略小判形状とされる。なお、本実施例では、取付部４９の上端部は、先端側へ若干突出している。
また、シリンダー胴４３の基端部には、径方向外側へ若干拡径して拡径部５１が形成されている。
【００２９】
シリンダー胴４３には、取付部４９を挟んだ左右両側に先端側へ突出した嵌合部が設けられている。本実施例では、嵌合部として、丸棒状のガイドピン５３，５３が設けられている。つまり、シリンダー胴４３には、左右に離間して二本のガイドピン５３，５３が設けられている。
具体的には、シリンダー胴４３には、取付部４９を挟んだ左右両側に、先端側へ開口する段付穴５５，５５が形成されている。本実施例では、段付穴５５の一部が、取付部４９の左右側面に重なって形成されており、取付部４９の左右側面には、円弧状の溝４９ａ，４９ａが前後方向に沿って形成されている。つまり、本実施例では、取付部４９の左右側面に、円弧状の溝４９ａ，４９ａが段付穴５５の周側面に連続して前後方向に沿って形成されている。
【００３０】
段付穴５５のうち、先端側大径穴５５ａは、ガイドピン５３の径に対応しており、基端側小径穴５５ｂは、ガイドピン５３の径より若干小径とされる。
ガイドピン５３は、その基端部が段付穴５５の先端側大径穴５５ａにはめ込まれ、さらに段付穴５５の基端側小径穴５５ｂに圧入されることでシリンダー胴４３に一体的に固定されている。
シリンダー胴４３に固定されたガイドピン５３の先端部は、取付部４９から先端側へ延出している。なお、ガイドピン５３の先端部は、先端側へ行くに従って縮径する円錐台状に形成されている。
【００３１】
また、取付部４９には、後述する係止ピン９３がはめ込まれる貫通穴５７が左右方向に沿って形成されている。本実施例では、ガイドピン５３より上方位置に貫通穴５７が形成されている。
【００３２】
シリンダー４５は、従来公知のものが採用可能である。
本実施例のシリンダー４５は、外筒に内筒５９が回転可能にはめ込まれた構成とされる。
シリンダー４５には、上下ピンタンブラー（不図示）およびこのピンタンブラーを付勢するバネ（不図示）が内蔵されており、シリンダー４５にキーが差し込まれていない状態では、内筒５９は外筒に対して回動不能とされ、正規のキーを挿入した場合にのみ外筒に対して内筒５９の回転が許容される。
【００３３】
シリンダー４５の内筒５９の先端部には、直径方向に沿って、先端側へ突出する細長い矩形状の作動杆６１が一体的に形成されている。
【００３４】
シリンダー４５は、シリンダー胴４３に前後方向に沿って形成された貫通穴にはめ込まれて設けられる。この際、シリンダー４５は、その外筒がシリンダー胴４３に回転不能に固定されて設けられる。
シリンダー胴４３にシリンダー４５が取り付けられた状態では、シリンダー４５の基端部は、シリンダー胴４３の基端部から若干室外側に配置されて鍵穴６０が露出すると共に、シリンダー４５の作動杆６１は、シリンダー胴４３の取付部４９から先端側へ突出して配置されている。
【００３５】
図９および図１０は、サムターン装置を示す図であり、図９は斜視図、図１０（ａ）は正面図、（ｂ）は左側面図、（ｃ）は平面図、（ｄ）は背面図である。
サムターン装置６５は、サムターン胴６６にサムターン軸６７が差し込まれて構成されている。
【００３６】
サムターン胴６６は、略段付き円柱形状とされ、その先端側小径部６９には、先端側へ突出して取付部７１が形成されている。
取付部７１は、円の左右両端部が上下方向（直径方向）に沿う直線により前後方向に切り欠かれた略小判形状とされる。なお、本実施例では、取付部７１の上端部は、先端側へ若干突出している。
また、サムターン胴６６の基端部には、径方向外側へ若干拡径して拡径部７３が形成されている。
【００３７】
サムターン胴６６には、取付部７１を挟んだ左右両側に先端側へ開口するピン穴７５，７５が形成されている。つまり、サムターン胴６６には、左右に離間して二つのピン穴７５，７５が設けられている。
ピン穴７５は、シリンダー装置４１のガイドピン５３の外径に対応している。
【００３８】
本実施例では、ピン穴７５の一部が、取付部７１の左右側面に重なって形成されており、取付部７１の左右側面には、円弧状の溝７１ａが前後方向に沿って形成されている。
つまり、本実施例では、取付部７１の左右両側面に、円弧状の溝７１ａ，７１ａがピン穴７５，７５の周側面に連続して前後方向に沿って形成されている。
【００３９】
また、取付部７１には、後述する係止ピン９９がはめ込まれる貫通穴７７が左右方向に沿って形成されている。本実施例では、ピン穴７５より上方位置に貫通穴７７が形成されている。
【００４０】
サムターン軸６７は、丸棒状であり、その基端部には矩形板状のツマミ７９が一体的に設けられており、ツマミ７９を回転させることでサムターン軸６７が一体回転する。また、サムターン軸６７の先端部６７ａは断面十字状に形成されている。
【００４１】
サムターン軸６７は、サムターン胴６６に前後方向に沿って形成された貫通穴に回転可能にはめ込まれて設けられる。
サムターン胴６６にサムターン軸６７が取り付けられた状態では、ツマミ７９は、サムターン胴６６より基端側へ配置されており、サムターン軸６７の先端部は、取付部７１から先端側へ突出して配置されている。
なお、サムターン胴６６にサムターン軸６７が設けられた状態では、サムターン軸６７は前後方向の移動が規制されている。
【００４２】
図２〜図４に示すように、錠ケース５の室外側壁面８１および室内側壁面８３には、シリンダー胴４３の取付部４９およびサムターン胴６６の取付部７１に対応した略小判形状の穴８５，８７がそれぞれ形成されている。つまり、錠ケース５のケース本体７の底部と蓋９に穴８５，８７がそれぞれ形成されている。
この各穴８５，８７は、錠ケース５の前後方向に対応した位置にそれぞれ形成されていると共に、錠ケース５内に保持されたカム１９に対応した位置に形成されている。つまり、錠ケース５の室外側壁面８１および室内側壁面８３の各穴８５，８７を介してカム１９の内穴１９ａが露出している。
【００４３】
また、錠ケース５の室外側壁面８１および室内側壁面８３には、シリンダー装置４１のガイドピン５３がはめ込まれる円弧状の切欠き８９，９１が前記穴８５，８７に連続して形成されている。
つまり、本実施例では、錠ケース５の室外側壁面８１の穴８５の左右両側辺に、ガイドピン５３に対応した円弧状の切欠き８９，８９が穴８５に連続して形成されている（図２）。また、室内側壁面８３の穴８７の左右両側辺に、ガイドピン５３に対応した円弧状の切欠き９１，９１が穴８７に連続して形成されている（図３）。なお、本実施例では、切欠き８９，９１は、半円弧状とされている。
【００４４】
図１１は、シリンダー装置が錠ケースに取り付けられた状態を示す戸先側から見た概略図であり、図１２は図１１の平面図である。
シリンダー装置４１は、錠ケース５が扉３に内蔵された状態で錠ケース５に取り付けられる。なお、この際、フロント板１５は錠ケース５に取り付けられていない。
【００４５】
シリンダー装置４１は、ガイドピン５３が錠ケース５の室外側壁面８１および室内側壁面８３の各切欠き８９，９１にはめ込まれると共に、シリンダー胴４３の取付部４９が錠ケース５の室外側壁面８１の穴８５にはめ込まれて錠ケース５に取り付けられる。
【００４６】
シリンダー装置４１が錠ケース５に取り付けられた状態では、ガイドピン５３は、錠ケース５に前後方向に沿ってはめ込まれており、ガイドピン５３の先端部は錠ケース５の室内側壁面８３の切欠き９１を介して錠ケース５から室内側へ突出している。
このように、シリンダー胴４３の取付部４９およびガイドピン５３が錠ケース５の穴８５および切欠き８９，９１にはめ込まれることで、シリンダー胴４３は、錠ケース５に対して上下左右方向の移動が規制されて取り付けられる。つまり、シリンダー装置４１が錠ケース５に取り付けられた状態では、シリンダー装置４１の先端部が、錠ケース５の室外側壁面８１の穴８５と切欠き８９，８９とからなる開口部に隙間がない状態ではめ込まれている。
【００４７】
また、シリンダー装置４１が錠ケース５に取り付けられた状態では、シリンダー４５の作動杆６１がカム１９の内穴１９ａにはめ込まれている。本実施例では、シリンダー４５の作動杆６１は、カム１９に対して周方向に９０度のアソビが設けられた状態でカム１９の内穴１９ａにはめ込まれている。
【００４８】
そして、錠ケース５にシリンダー装置４１がはめ込まれた状態で、扉３の戸先側端面から係止ピン９３が差し込まれる。係止ピン９３は、細長い丸棒状とされ、その先端部は先端側へ行くに従って縮径する円錐台状に形成されている。また、係止ピン９３の基端部周側面には、周方向に沿って環状溝９３ａが形成されている。
【００４９】
係止ピン９３は、フロント裏板１１に形成された貫通穴１１ｂを介して左右方向に沿って錠ケース５内に差し込まれる。そして、係止ピン９３は、錠ケース５の室外側壁面８１の内面に沿って差し込まれ、シリンダー胴４３の貫通穴５７にはめ込まれる。
これにより、シリンダー胴４３の先端側小径部４７と係止ピン９３が、室外側壁面８１を挟み込み、シリンダー胴４３の前後方向の移動が規制され、錠ケース５にシリンダー装置４１が固定される。
【００５０】
なお、係止ピン９３は、その先端部が錠ケース５の戸尻側壁面８４に当接するまで差し込まれる。そして、係止ピン９３が錠ケース５にはめ込まれた状態では、係止ピン９３の基端面はフロント裏板１１の戸先側端面とほぼ面一とされる。
また、上述したように、シリンダー装置４１が錠ケース５に取り付けられた状態では、作動杆６１がカム１９の内穴１９ａに係合されている。
【００５１】
シリンダー装置４１が錠ケース５に取り付けられる際、シリンダー胴４３の外周部には、略円筒状のカラー９５が設けられる。カラー９５は、シリンダー胴４３との間にコイルバネ９７が介在された状態で、シリンダー胴４３に対して前後方向に移動可能にはめ込まれており、扉３の厚みに対応可能とされている。
【００５２】
このようにシリンダー装置４１が錠ケース５に固定された状態で、サムターン装置６５が扉３の室内面側から錠ケース５に取り付けられる。
図１３は、図１１および図１２の状態から錠ケースにサムターン装置が取り付けられた状態を戸先側から見た概略図であり、図１４は図１３の平面図である。
【００５３】
サムターン装置６５は、サムターン胴６６の取付部７１が錠ケース５の室内側壁面８３の穴８７にはめ込まれると共に、サムターン胴６６のピン穴７５にシリンダー装置４１のガイドピン５３がはめ込まれて錠ケース５に取り付けられる。この際、ガイドピン５３は、サムターン胴６６の溝７１ａに沿ってピン穴７５にはめ込まれる。
【００５４】
このように、サムターン胴６６の取付部７１が錠ケース５の穴８７にはめ込まれると共に、シリンダー装置４１のガイドピン５３がサムターン胴６６のピン穴７５にはめ込まれることで、サムターン胴６６は、錠ケース５に対して上下左右方向の移動が規制されて取り付けられる。
また、サムターン装置６５が錠ケース５に取り付けられた状態では、サムターン軸６７の十字状の先端部６７ａがカム１９の内穴１９ａに周方向に遊びがない状態で係合されている。
【００５５】
錠ケース５にサムターン装置６５がはめ込まれた状態で、扉３の戸先側端面から係止ピン９９が差し込まれる。係止ピン９９は、前記係止ピン９３と同形状とされる。係止ピン９９は、シリンダー装置４１の場合と同様に、フロント裏板１１に形成された貫通穴１１ｃを介して左右方向に沿って錠ケース５内に差し込まれる。係止ピン９９は、錠ケース５の室内側壁面８３の内面に沿って差し込まれ、サムターン胴６６の貫通穴７７にはめ込まれる。
これにより、サムターン胴６６の先端側小径部６９と係止ピン９９が、室内側壁面８３を挟み込み、サムターン胴６６の前後方向の移動が規制され、錠ケース５にサムターン装置６５が固定される。
【００５６】
また、サムターン装置６５には、シリンダー装置４１と同様に、サムターン胴６６との間にコイルバネ１０１を介在させた状態でカラー１０３が設けられる。
このように、錠ケース５にシリンダー装置４１およびサムターン装置６５が取り付けられた状態で、フロント裏板１１にフロント板１５がネジで固定される。
【００５７】
なお、カムガイド２７には、シリンダー装置４１およびサムターン装置６５の各取付部、ガイドピン５３および係止ピン９３，９９が通される穴や切欠きが適宜形成されている。
また、係止ピン９３，９９を錠ケース５から引き抜く際には、基端部の環状溝９３ａ，９９ａにマイナスドライバーなどを差し込んで引き抜けばよい。
【００５８】
ところで、本実施例では、錠ケース５に差し込まれる各係止ピン９３，９９をシリンダー装置４１およびサムターン装置６５の貫通穴５７，７７に誘導する案内部材１０５が錠ケース５に設けられている。
図１５は、案内部材を示す部品図であり、（ａ）は正面図、（ｂ）は平面図、（ｃ）は左側面図、（ｄ）は右側面図である。
【００５９】
案内部材１０５は、板材を屈曲形成したコ字形材とされる。
案内部材１０５の開放両端片１０７，１０７の先端部１０７ａ，１０７ａは、互いに近接する方向に屈曲されており、開口部１０７ｂが狭められている。この狭められた開口部１０７ｂの幅は、係止ピン９３，９９の直径とほぼ同一とされている。
また、案内部材１０５の開放両端片１０７，１０７の各一端辺には、それぞれ矩形状の突出部１１１，１１１が形成されている。さらに、案内部材１０５の中央片１１３の前後端辺中央部には、それぞれ略円弧状の切欠き１１５，１１５が形成されている。
【００６０】
案内部材１０５は、フロント裏板１１とカムガイド２７との間に配置される。案内部材１０５は、そのコ字状溝を室内側から見て右側へ向けると共に、前後方向に沿うように配置されて、前記突出部１１１が錠ケース５の室外側壁面８１に形成された貫通穴８１ａにはめ込まれることで、錠ケース５に取り付けられる。
【００６１】
このように、案内部材１０５が錠ケース５に取り付けられた状態で、係止ピン９３，９９が錠ケース５に差し込まれると、係止ピン９３，９９は、案内部材１０５の前記切欠き１１５，１１５にそれぞれ差し込まれる。これにより係止ピン９３，９９は、左右方向に沿って移動するように誘導され、案内部材１０５の開口部１０７ｂを介してシリンダー装置４１およびサムターン装置６５の各貫通穴５７，７７にはめ込まれる。
このように、案内部材１０５を取り付けることで、係止ピン９３，９９が左右方向に沿って自動的に通され、各装置４１，６５の貫通穴５７，７７にスムーズにはめ込むことができる。
【００６２】
また、本実施例では、係止ピン９３，９９が通される位置に対応して、ケース本体７および蓋９にそれぞれ矩形状の切起こし部１１７，１１９が形成されている。
具体的には、錠ケース５の室外側壁面８１および室内側壁面８３には、錠ケース５内へ向けて矩形状に切り起こされた切起こし部１１７，１１９が形成されている。
切起こし部１１７，１１９は係止ピン９３，９９に当接し、これに伴って各係止ピン９３，９９は錠ケース５内へ若干湾曲する。係止ピン９３，９９が錠ケース５内側へ湾曲することで、シリンダー装置４１およびサムターン装置６５は、錠ケース５内側へ押し込まれる。つまり、各装置４１，６５は、錠ケース５の各壁面８１，８３の外面にそれぞれ押し付けられ、取付状態におけるガタ付きが防止される。
【００６３】
扉３に設けられた本実施例の扉錠１は、室内側のサムターン装置６５のツマミ７９を回転操作させることで、カム１９が回転し、これに伴ってデッドボルト２１が左右方向に移動し、施解錠を行なうことができる。
また、室外側のシリンダー装置４１の鍵穴６０にキーを差し込み、回転操作させることで、カム１９が回転し、これに伴ってデッドボルト２１が左右方向に移動し、施解錠を行なうことができる。
【００６４】
本実施例では、シリンダー装置４１に設けられたガイドピン５３を錠ケース５の切欠き８９，９１にはめ込み、シリンダー装置４１をそのまま先端側（室内側）へ押し込むことで、自動的にシリンダー胴４３の取付部４９が錠ケース５の穴８５にはめ込まれ、シリンダー装置４１が錠ケース５に取り付けられる。
つまり、本実施例のシリンダー装置４１は、錠ケース５に対して押し込むだけで取り付けられ、その取り付けは容易である。
【００６５】
また、ガイドピン５３は、錠ケース５の室外側壁面８１および室内側壁面８３の各切欠き８９，９１と対応しており、かつ、錠ケース５を前後方向に貫通して設けられている。つまり、ガイドピン５３は、錠ケース５の室外側壁面８１および室内側壁面８３に形成された切欠き８９，９１を介して各壁面８１，８３を架け渡すように設けられている。
【００６６】
これにより、シリンダー装置４１に上下左右方向の力がかかったとしても、ガイドピン５３が錠ケース５の各壁面８１，８３に引っ掛かると共に、シリンダー胴４３の取付部４９が錠ケース５の壁面８１に引っ掛かることで、シリンダー装置４１が錠ケース５から脱落することがない。
このように、本実施例では、シリンダー装置４１の先端部が錠ケース５の室外側壁面８１の開口部に上下左右に不動にはめ込まれ、かつ、左右に離間して設けられたガイドピン５３，５３の先端部が室内側壁面８３の切欠き９１，９１にはめ込まれていることで、シリンダー装置４１に上下左右方向の力がかかったとしても、シリンダー装置４１が錠ケース５から脱落することがない。
さらに、係止ピン９３をはめ込んでいることで前後方向の力にも耐えることが可能である。
【００６７】
本発明の扉錠は、上記実施例の構成に限らず、適宜変更可能である。
例えば、上記実施例では、シリンダー装置のガイドピンが、取付部に当接するように設けられていたが、シリンダー装置のガイドピンを取付部から離間した位置に取り付けてもよい。
この場合、錠ケースの室外側壁面および室内側壁面には、取付部がはめ込まれる穴と、ガイドピンがはめ込まれる穴が連続しない状態で形成される。
【００６８】
また、上記実施例では、シリンダー装置側に２本のガイドピンを設けたが、シリンダー装置およびサムターン装置にそれぞれガイドピンを１本設け、これに対応するように各装置にピン穴を形成するようにしてもよい。
さらに、錠ケースに取り付けるシリンダー装置およびサムターン装置の組み合わせは適宜変更可能である。たとえば、上記実施例では、錠ケースにシリンダー装置とサムターン装置を設けたが、錠ケースに二つのシリンダー装置を取り付けてもよい。この場合、一方のシリンダー装置を上記実施例のシリンダー装置と同様の形状として、他方のシリンダー装置のシリンダー胴にガイドピンがはめ込まれるピン穴を形成すればよい。
また、錠ケースにシリンダー装置のみを取り付ける構成としてもよい。
【図面の簡単な説明】
【００６９】
【図１】本発明の扉錠の一実施例を示し、扉への取付状態を戸先側から見た図である。
【図２】図１の扉錠の分解斜視図であり室外側から見た図である。
【図３】図１の扉錠の分解斜視図であり室内側から見た図である。
【図４】扉に内蔵された錠ケースを室内側から見た図である。
【図５】図４の錠ケースの蓋を一部破断した図である。
【図６】カムガイドを示す部品図であり、（ａ）は正面図、（ｂ）は右側面図である。
【図７】シリンダー装置を示す斜視図である。
【図８】シリンダー装置を示す図であり、（ａ）は正面図、（ｂ）は右側面図、（ｃ）は平面図、（ｄ）は背面図である。
【図９】サムターン装置を示す斜視図である。
【図１０】サムターン装置を示す図であり、（ａ）は正面図、（ｂ）は左側面図、（ｃ）は平面図、（ｄ）は背面図である。
【図１１】シリンダー装置が錠ケースに取り付けられた状態を示す戸先側から見た概略図である。
【図１２】図１１の平面図である。
【図１３】図１１および図１２の状態から錠ケースにサムターン装置が取り付けられた状態を戸先側から見た概略図である。
【図１４】図１３の平面図である。
【図１５】案内部材を示す部品図であり、（ａ）は正面図、（ｂ）は平面図、（ｃ）は左側面図、（ｄ）は右側面図である。
【図１６】従来の扉錠を戸先側から見た図である。
【図１７】従来の扉錠の平面図である。
【符号の説明】
【００７０】
１  扉錠
３  扉
５  錠ケース
２１  デッドボルト
４１  シリンダー装置
５３  ガイドピン
５７  貫通穴
６５  サムターン装置
７１  サムターン軸
７５  ピン穴
７９  ツマミ
８５  穴
８７  穴
８９  切欠き
９１  切欠き
９３  係止ピン
９９  係止ピン
【図１】
2007332672.tif 000003
【図２】
2007332672.tif 000004
【図３】
2007332672.tif 000005
【図４】
2007332672.tif 000006
【図５】
2007332672.tif 000007
【図６】
2007332672.tif 000008
【図７】
2007332672.tif 000009
【図８】
2007332672.tif 000010
【図９】
2007332672.tif 000011
【図１０】
2007332672.tif 000012
【図１１】
2007332672.tif 000013
【図１２】
2007332672.tif 000014
【図１３】
2007332672.tif 000015
【図１４】
2007332672.tif 000016
【図１５】
2007332672.tif 000017
【図１６】
2007332672.tif 000018
【図１７】
2007332672.tif 000019